(57)【特許請求の範囲】
【請求項１】
はんだを加熱し溶融したはんだを吸引する通路を有するこて先と、
負圧供給源に接続されたハンドル部と、
上記こて先で吸引されたはんだを内部に貯溜する貯溜カートリッジとを備え、
上記貯溜カートリッジは、こて先側の第一端と負圧供給源側の第二端とこれら両端間に断面円形の開口とを持つ収納ハウジングを有し、
上記ハンドル部の外面には、上記収納ハウジングの第一端と第二端とをシールして、上記貯溜カートリッジを着脱自在に保持する貯溜カートリッジ保持部が設けられ、
上記貯溜カートリッジが上記貯溜カートリッジ保持部に装着された状態で、該貯溜カートリッジと上記負圧供給源とが連通するように構成されるとともに、
上記収納ハウジングの内部に、負圧の吸引方向に延びる、互いに対向する一対の脚部と、その間を繋ぐ底部とを有する板状の放熱部材が、上記一対の脚部の開いた側を上記第一端側に、上記底部側を上記第二端側に対面させるように設けられ、上記収納ハウジング内に吸引された溶融はんだが上記放熱部材に接触して冷却、固化されるようになっていることを特徴とするはんだ除去器具。
【請求項２】
上記放熱部材は、吸引方向に延びる一対の脚部と、その間を繋ぐ底部とによって略Ｕ字型に成形されていることを特徴とする請求項１記載のはんだ除去器具。
【請求項３】
上記収納ハウジングは、上記第一端から上記収納ハウジング内へはんだを受け入れるとともに、上記第二端に嵌まり込むフィルターを備えていることを特徴とする請求項１または２記載のはんだ除去器具。
【発明の詳細な説明】
【技術分野】
【０００１】
本発明は、はんだを加熱し、溶融させるとともに、負圧吸引して除去するはんだ除去器具に関し、特に、吸引したはんだをハンドル部に貯溜するものに関する。
【背景技術】
【０００２】
従来の一般的なはんだ除去器具は、基板の上のはんだを溶融し、こて先を通して回収するために、こて先に熱と負圧を供給する。はんだ除去器具として、溶融はんだを一時的に貯溜する回収室を持つものが知られている。このような回収室にはフィルターが備えられており、これは溶融はんだに伴う蒸気からフラックスを除去し、その結果、ろ過された蒸気ははんだ除去器の内部を塞ぐことなく負圧源に排出される。
【０００３】
特許文献１には、内部にはんだ回収トレイが設けられたはんだ除去器具が開示されている。このはんだ回収トレイが吸引したはんだで満たされ、新しいものと交換する時には、本体の一部である回収室の上部をヒンジを介して回転させ、回収室を開放した後、その中の回収トレイを取り出して新しいものと交換する。
【０００４】
また特許文献２には、はんだ回収カプセル（当明細書の貯溜カートリッジに相当する）を内部に備えたはんだ除去器具が開示されている。このはんだ回収カプセルが吸引したはんだで満たされ、新しいものと交換する時には、当該器具の可動部をバネの力に抗して摺動させ、十分に後ろ方向に摺動させる。そうすると、可動部本体が揺動するので、古い回収カプセルを保持チューブの反対側から新しい回収カプセルで押し出しつつ交換する。
【０００５】
また特許文献２のはんだ回収カプセルは、外側チューブと中空のはんだ回収部によって形成されている。外側チューブは一端が多孔フィルタで閉じられていて、その反対側は開いている。また中空のはんだ回収部は、一端が開いており、反対側はそこを通るはんだの通路に関しては、閉じている。このような回収カプセルの構造により、外側チューブおよびはんだ回収部の開いた側から溶融はんだ混じりの蒸気が導かれ、溶融はんだが中空のはんだ回収部の中に回収される。そして負圧吸引された蒸気がはんだ回収部の外壁と外側チューブの内壁の間を通って流れ、フィルタを介して回収カプセルの外部（負圧源側）へ導かれる。
【０００６】
なお、特許文献３には、このようなはんだ除去器具に供し得る電源が開示されている。
【特許文献１】米国特許第５，００７，５７４号明細書
【特許文献２】欧州特許出願公開第１０４４７５１号明細書
【特許文献３】米国特許第６，５６３，０８７号明細書
【発明の開示】
【発明が解決しようとする課題】
【０００７】
上記のように、本体内にはんだ回収トレイやはんだ回収カプセル等を有するはんだ除去器具は、トレイやカプセルの交換、或いは清掃が不可欠である。この交換等の作業に大きな時間を費やすと作業効率の低下を招いてしまう。従って、トレイやカプセル等の交換作業は、できるだけ容易かつ短時間で行うことが望ましい。またその交換周期もできるだけ長い方が望ましい。
【０００８】
しかしながら、特許文献１や特許文献２に示す器具は、トレイやカプセルが本体内に格納されているため、その交換には少なからず器具の分解作業を伴う。そのため、その交換作業に費やされる時間が長くなりがちであった。
【０００９】
また、特許文献２においては、はんだ回収部の一端が閉じているか、開いていても非常に狭くなっているため、はんだ回収部の中での溶融はんだの流れが遅くなるという問題があった。このため、比較的早期に吸引力の低下を招き、はんだ回収カプセルの交換周期を縮めていた。
【００１０】
本発明は上記事情に鑑み、貯溜カートリッジ（カプセル）の交換作業を容易にし、またその交換周期を延ばすことによって、その交換作業による時間ロスを低減し、はんだ除去作業の効率を向上することができるはんだ除去器具を提供することを目的とする。
【課題を解決するための手段】
【００１１】
上記課題を解決するための請求項１に係る発明は、はんだを加熱し溶融したはんだを吸引する通路を有するこて先と、負圧供給源に接続されたハンドル部と、上記こて先で吸引されたはんだを内部に貯溜する貯溜カートリッジとを備え、上記貯溜カートリッジは、こて先側の第一端と負圧供給源側の第二端とこれら両端間に断面円形の開口とを持つ収納ハウジングを有し、上記ハンドル部の外面には、上記収納ハウジングの第一端と第二端とをシールして、上記貯溜カートリッジを着脱自在に保持する貯溜カートリッジ保持部が設けられ、上記貯溜カートリッジが上記貯溜カートリッジ保持部に装着された状態で、該貯溜カートリッジと上記負圧供給源とが連通するように構成されるとともに、上記収納ハウジングの内部に、負圧の吸引方向に延びる、互いに対向する一対の脚部と、その間を繋ぐ底部とを有する板状の放熱部材が、上記一対の脚部の開いた側を上記第一端側に、上記底部側を上記第二端側に対面させるように設けられ、上記収納ハウジング内に吸引された溶融はんだが上記放熱部材に接触して冷却、固化されるようになっていることを特徴とする。
【００１２】
また請求項２の発明は、請求項１記載のはんだ除去器具において、上記放熱部材は、吸引方向に延びる一対の脚部と、その間を繋ぐ底部とによって略Ｕ字型に成形されていることを特徴とする。
【００１３】
また請求項３の発明は、上記収納ハウジングは、上記第一端から上記収納ハウジング内へはんだを受け入れるとともに、上記第二端に嵌まり込むフィルターを備えていることを特徴とする。
【発明の効果】
【００１６】
請求項１の発明によれば、貯溜カートリッジを装着する貯溜カートリッジ保持部がハンドル部の外面に設けられているので、装置を全く分解することなく貯溜カートリッジを交換することができる。従って貯溜カートリッジの交換作業が容易であり、交換作業による時間ロスを低減することができるので、はんだ除去作業の効率を向上することができる。また、上記収納ハウジングの内部に負圧の吸引方向に延びる板状の放熱部材が設けられているので、溶融して吸引されたはんだが、放熱部材に当たって冷却され、速やかに固化して貯溜カートリッジ内に貯溜される。放熱部材は吸引方向に延びる板状に成形されているので、蒸気の流れをあまり大きく阻害することがない。つまり吸引抵抗を低減することができる。従って、ある程度はんだが溜まっても吸引力の低下量が少ない。換言すれば交換周期を延ばすことができる。これにより、作業効率を向上することができる。
【００２０】
請求項２の発明によれば、吸引抵抗の増加を抑制しつつ、貯溜カートリッジ内での放熱部材の表面積を増大させ、冷却性能を高めることができる。
【発明を実施するための最良の形態】
【００２１】
以下、図面に基づいて本発明の実施の形態を説明する。
【００２２】
図１は本発明に係る一実施形態であるはんだ除去器具１０の分解斜視図である。はんだ除去器具１０は、交換可能な貯溜カートリッジ１４が装着された第一ハンドル部１２（ハンドル部）、加熱カートリッジ１６、そして第二ハンドル部１８を含む。第一ハンドル部１２は加熱カートリッジ１６の近くに形成される凹部２０（貯溜カートリッジ保持部）を有する。凹部２０に貯溜カートリッジ１４を係合させるため、第一ハンドル部１２は第一位置と第二位置の間を動くバックホルダー２２を有している。第一位置では、凹部２０の長さは第一ハンドル部１２の長手方向に沿った貯溜カートリッジ１４の長さより長い。それに対し、第二位置では凹部２０の長さは貯溜カートリッジ１４の長さと比べ、同じくらいまたはわずかに短い。そのようにすることで、バックホルダー２２が第一位置にあるとき、貯溜カートリッジ１４は凹部２０に挿入または取外すことができる。貯溜カートリッジ１４を凹部２０に係合させるために、バックホルダー２２は貯溜カートリッジ１４が凹部２０の中に保持されるよう第一位置から第二位置に移動される。
【００２３】
図２に示されるように、第一ハンドル部１２は、加熱カートリッジ１６からのパイプ２８と電気カートリッジ３０をそれぞれ受けるよう、第一開口２４と第二開口２６とを有する。電気カートリッジ３０は第一ハンドル部１２に提供される電気コード３４と電気的に接続するため接触端子３２を有する。加熱カートリッジ１６はこて先３８とパイプ２８の間に形成された吸引通路３６（チャンネル）を有する。加熱カートリッジ１６と貯溜カートリッジ１４が第一ハンドル部１２と組み立てられた時、負圧供給管４０（負圧供給源）は負圧がこて先３８に供給されるよう、吸引通路３６と接続される。
【００２４】
第一ハンドル部１２はまた、第二ハンドル部１８を取り外し可能に連結されるようになっている係合部材４２を有する。はんだ除去器具１０は使用者の好み、或いは作業環境や作業部位によって第二ハンドル部１８とともにまたはそれ無しで使用される。はんだ除去器具１０が作動すると、電気コード３４からの電力がはんだを熱するための加熱カートリッジ１６に提供される。第一ハンドル部１２は加熱カートリッジ１６のこて先３８への負圧供給をオン・オフさせるために作動または停止させる第一トリガー４３を有する。第二ハンドル部１８は図２に示されるように係合部材４２を介して第一ハンドル部１２に取り外し可能に連結される。第二ハンドル部１８はピストルのように握られるよう第一ハンドル部１２に対し接線方向に連結される。第二ハンドル部１８は使用者にとって使い良いグリップになるよう、第一ハンドル部１２に取り外し可能に取り付けられるようになっている。
【００２５】
第二ハンドル部１８は第一ハンドル部１２と第二ハンドル部１８を一緒にロックできるよう、第一ハンドル部１２に設けられた受け口６４に係合するロック部材６６を有する。第二ハンドル部は第二トリガー４６が作動したとき、第一トリガー４３が同様に作動するよう、第一トリガー４３と機械的に連結される第二トリガー４６を備えている。言い換えると、第二ハンドル部１８は第二トリガー４６とともにグリップエリア２３を有し、そうすることで使用者は第二ハンドル部１８のグリップエリア２３のまわりを握ることで、はんだ除去器具１０をピストルのように握ることができる。このようにすると、使用者は第一ハンドル部１２を例えばペンのように握ることで、はんだ除去器として独立して使うことができる。代わりに、使用者は好みに応じてはんだ除去器具１０をピストル型に保持するよう、第二ハンドル部１８のグリップエリア２３を握るため、第二ハンドル部１８を第一ハンドル部１２の下側に取り付けても良い。第二ハンドル部１８が第一ハンドル部１２に取り付けられていると、使用者は第二トリガー４６を動作させ、それは加熱カートリッジ１６のこて先３８に負圧を提供するため第一トリガー４３を動作させる。
【００２６】
バックホルダー２２は負圧供給管４０につながれている出口４８を有する。バックホルダー２２は第一位置と第二位置の間を動くことができるよう、抵抗部材５０に当接するよう付勢されている。図２は貯溜カートリッジ１４が凹部２０に挿入され、または凹部２０から取り除かれるようにバックホルダー２２が第一位置にある状態を示す。貯溜カートリッジ１４は第一シール部材５２と第二シール部材５５との間に保持される。第一シール部材５２は第一ハンドル部１２の前端５４に取り外し可能に連結される。第二シール部材５５はバックホルダー２２に取り外し可能に連結される。パイプ２８と電気カートリッジ３０がそれぞれ第一開口２４と第二開口２６に挿入されると、パイプ２８ははんだ貯溜スペース５６に突出する。通路５８ははんだ貯溜スペース５６、第二シール部材５５、バックホルダー２２に沿って形成され、出口４８に沿って導かれた負圧が吸引通路３６を通ってこて先３８に伝わる。
【００２７】
こて先３８とパイプ２８との間に形成された吸引通路３６は、これを通って溶融はんだの流れに対する抵抗を最小限にするためほぼまっすぐになっている。吸引通路３６に沿った温度ははんだを融けた状態に保持するため、はんだの融点より高く維持される。そうすると、吸引通路３６を通って取り除かれた溶融はんだは、こて先３８からパイプ２８の端まで融けた状態になっている。例えば、パイプ２８の部分は、はんだを液状に融かしその溶融はんだをこて先内の吸引通路３６を通して回収するようこて先３８に熱を伝えるためヒーター６０で囲まれている。
【００２８】
ヒーター６０から離れた部分の吸引通路３６の部分に沿った温度はヒーター６０に近い吸引通路３６の部分より低くなる可能性がある。吸引通路３６の全長にわたってはんだを融けた状態に保つために、ヒーター６０から離れたパイプ２８の部分はその部分にヒーター６０からの熱を伝えるため熱伝導素材６２で覆われている。このようにすることで、はんだを融けた状態に保つよう吸引通路３６内の温度があらかじめ決められた設定温度以上に保たれ、はんだはパイプ２８の端を通って取り除かれ、はんだ貯溜スペース５６に入れられる。例えば、第一ハンドル部１２の前端５４の近くのパイプ２８はヒーター６０から離れたところにあるパイプ２８の部分にヒーター６０からの熱を伝えるため、銅または銅合金部材に囲われている。
【００２９】
図２はヒーター６０とパイプ２８の間に沿って形成される吸引通路３６がこて先３８近くに形成された通路より広いことを示している。これはパイプ２８を通る溶融はんだの流れに対する抵抗を最小限にし、そしてこて先３８内に形成された吸引通路３６により大きい流体速度を提供する。さらに溶融はんだの流れに対する抵抗を小さくするために、こて先３８とパイプ２８の端部との間の距離が最短になっている。従って、短く、まっすぐな吸引通路３６に沿って温度をほぼ一定にする組み合わせは溶融はんだをこて先３８からパイプ２８の端まで取り除くための効率のよい加熱ヒーターカートリッジを提供する。吸引通路３６の長さを短くし、それをほぼ一直線状に保つため、ノズル加熱カートリッジ１６は以下に記載されるような互い違いの構成を有する。ほぼまっすぐな吸引通路３６を有することに加え、はんだ貯溜スペース５６、第二シール部材５５、そしてバックホルダー２２に沿って形成される通路５８も同様に、出口４８からはんだ貯溜スペース５６までの間の吸引抵抗を最小限にするためほぼまっすぐになっている。加熱カートリッジ１６が古くなればそれは交換できる。選択的に、ヒーター６０と電気カートリッジ３０を再利用できるよう、こて先３８のみが交換できるようにしても良い。
【００３０】
図２は加熱カートリッジ１６が移行部分１９に連結された先端部分１７を有することを示している。電気カートリッジ３０もまた、移行部分１９に連結されているが、電気カートリッジ３０は先端部分１７に対して離間している。従って、加熱カートリッジ１６は電気カートリッジ３０に対して互い違いになった先端部分１７を有している。このような構成によれば、吸引通路３６はほぼ一直線状に、また、第一ハンドル部１２の中に形成された通路５８と一直線状になっており、その結果、負圧供給管４０から吸引通路３６への吸引抵抗を最小限にする。またそのような形状はこて先３８とパイプ２８の間の距離を縮め、ほぼ一直線状の吸引通路３６を提供する。電気カートリッジ３０は、これが交換可能になるように移行部分１９から外せるようになっていてもよい。第一および第二シール部材５２と５５はそれらもまた交換可能になるよう、第一ハンドル部１２に着脱可能に取り付けうる。先端部分１７が古くなれば、移行部分から取り外され、新しい先端部分と取り替えられる。
【００３１】
図２は第一ハンドル部１２が第二ハンドル部１８を使用する場合もそうでない場合も使用できることを示す。係合部材４２は第二ハンドル部１８からロック部材６６を受ける受け口６４を有する。第二ハンドル部１８はさらに係合部材４２の中に形成されたスロット７０に摺動するようになっているフック６８を有する。第二ハンドル部１８を着脱できるように第一ハンドル部１２に連結するために、フック６８はスロット７０に矢印７２の指し示す方向に摺動させることができる。第二ハンドル部１８が係合部材４２に完全に挿入されると、ロック部材６６は受け口６４の中に係合し、それによって第二ハンドル部１８を第一ハンドル部１２にロックする。ロック部材６６が係合位置と離脱可能位置との間を動くよう、ロック部材６６は抵抗部材７４に向かって付勢されている。ロック部材６６を係合位置と離脱可能位置の間を動かすため、ロック部材６６は着脱スイッチ４４に連動している。第二トリガー４６は抵抗部材７８により付勢されているロッド７６に連結される。第二ハンドル部１８が係合部材４２に完全に係合されると、ロッド７６の自由端は第一ハンドル部１２の第一トリガー４３に当接される。それにより、第二トリガーの操作が第一トリガー４３を操作させ、それによってこて先３８に負圧を供給する。第一ハンドル部１２から第二ハンドル部１８を取り外すためには、着脱スイッチ４４を下げることで受け口６４からロック部材６６を外し、第二ハンドル部１８が矢印７２と反対方向に動くようにする。フック６８から係合部材４２が外れると、第二ハンドル部１８は第一ハンドル部１２から取り外すことができる。
【００３２】
図２に示すように、移行部分１９が第一板８０及び第二板８２から成っており、２つの板に間隙８６を形成するようにスペーサー８４が設けられている。間隙８６は第二板８２をヒーター６０の熱から絶縁するために提供される。さらに、電気カートリッジ３０からの電導線は間隙８６を通し先端部分１７における適当な接触端子に連結される。第一板８０は高温に耐える事が可能な金属片である。第二板８２もまた高温に耐える事が可能であるプラスチック素材から形成されている。第二板８２は電気カートリッジ３０を受けるようになっているスリーブ８３を保持している。スリーブ８３はパイプ２８よりも基端側に長く延びていて、電気カートリッジ３０が第二開口２６に挿入される時、パイプ２８が第一開口２４に接触する前にスリーブ８３が第二開口２６に接触する。スリーブ８３が第一ハンドル部１２に対して相対的に加熱カートリッジ１６を方向付けし、スリーブ８３と第二開口２６はあらかじめ決められた形状をしていてもよく、そうすることでスリーブ８３が第二開口２６に挿入される。スリーブ８３が加熱カートリッジ１６を位置決めする事により、パイプ２８が第一開口２４に対して位置決めされ、そのパイプ２８は最小限の抵抗で、または第一シール５２を傷つけることなく、第一開口に挿入される。例えば、スリーブ８３と第二開口２６は、四角形、楕円、長方形、またはそれらに似た形状であり、スリーブ８３が第二開口２６に挿入される時、スリーブ８３は加熱カートリッジ１６を第一ハンドル部１２に対して位置決めする。
【００３３】
図３及び図４は加熱カートリッジ１６を位置決めするためスリーブ８３と第二開口２６が四角い外形を有するものを示している。図３は第二板８２と第二板中に形成されている開口８５から突出しているパイプ２８の後ろ側を示す。加えて、熱伝導素材６２は開口８５から突出するパイプ２８の少なくとも一部分を囲んでいる。熱伝導素材６２と第二板８２により生じる過熱に起因して生じる損傷を最小限にするため熱伝導素材６２と開口８５の間には間隙が設けられている。図３は同様に第二板８２から突出している電気カートリッジ３０を示している。第二板８２はさらに、以下に記されるように第一ハンドル部１２の前端５４と係合されるようになっている突起９０を含んでいる。
【００３４】
図４は第一開口２４と第二開口２６を有する前端５４を示している。第一開口２４は第一シール部材５２のなかに形成される。シール部材５２はさらに、伝導素材６２から第一シール部材５２への熱伝導を減らすための間隙をもって伝導素材６２を受け入れるようになっている丸く切り抜かれた穴凹部８８を有する。前端５４はまた、第二板８２より突出する突起９０を受け入れるよう切込み９２を有する。
【００３５】
図５（ａ）はパイプの端２８と電気カートリッジ３０がそれぞれ第一開口２４と第二開口２６に完全に挿入された状態を示す。さらに、貯溜カートリッジ１４が第二位置にあるバックホルダー２２によって凹部２０の中に嵌め込まれている。加熱カートリッジ１６が第一ハンドル部１２に挿入されると、加熱カートリッジ１６を第一ハンドル部１２に関して上記のスリーブ８３と第二開口２６とともに一直線状に整合させるよう、突起９０は切込み９２と係合する。さらに、突起９０は切込み９２に対して突き当たる。これは第二板８２と前端５４の間にヒーター６０からの熱を絶縁するため２つ目の間隙９４を形成するためである。
【００３６】
図５（ａ）はまた、加熱カートリッジ１６がいったん第一ハンドル部１２と係合された後、加熱カートリッジ１６を取り外すためのボタン９５を持つ第一ハンドル部を示している。図５（ｂ）はスリーブ８３が第一ハンドル部１２の第二開口２６に挿入されたとき加熱カートリッジ１６を保持する内部構造を示している。ボタン９５は電気カートリッジ３０を受けるようになっている大きい開口９９をもつヒンジ９７より延びている。大きい開口９９は電気カートリッジ３０の長手軸方向に対して垂直に押されるように十分大きい。ヒンジ９７の先端にはフック１０１が設けられている。フック１０１はスリーブ８３に係合させられたとき、当該フック１０１を受け入れるようにスリーブ８３に形成された凹部８７を保持する。このロックによって、加熱カートリッジ１６が第一ハンドル部１２より不用意に脱落することが効果的に防止される。凹部８７をフック１０１に係合させるには、加熱カートリッジ１６を所定の装着位置まで押入するだけで良く、装着動作とロック動作を同時に行うことができる。ロック解除時は、ボタン９５を押せば良い。ボタン９５が押されるとヒンジ９７が押し出され、フック１０１が凹部８７から外れるので加熱カートリッジ１６を第一ハンドル部１２から引き出すことができる。
【００３７】
図６は貯溜カートリッジ１４の分解図を示す。貯溜カートリッジ１４は第一端１０２と第二端１０４とその間に開口を有するハウジング１００（収納ハウジング）とを有する。ハウジング１００は第二端１０４でフィルター１０６を受け入れるようになっている。ハウジング１００はさらに、放熱部材１０８とフィルター１０６が互いに近接するように放熱部材１０８を受けるようになっている。放熱部材１０８はまた、底部１１０及び底から伸びる一対の脚部１１２を有し、Ｕ字型の外形をしている。一対の脚部１１２は、溶融はんだが脚部１１２及び底１１０に接触したときそれらがはんだの熱を吸収し、はんだを冷却し放熱部材１０８の上に固化するように平板状になっている。このようにすることで溶融はんだが貯溜カートリッジ１４内に保持され蓄えられる。さらに、貯溜カートリッジ１４がはんだで満たされたかどうかを使用者が見て判断できるよう、ハウジング１００は透明素材であっても良い。素材に関して言えば、ハウジング１００、放熱部材１０８、及びフィルター１０６は色々な素材より作られる。たとえばハウジング１００は紙、プラスチック、透明プラスチック、ガラス、金属、等で作られる。放熱部材１０８はアルミニウム、スチール等により作られうる。
【００３８】
図７は貯溜カートリッジ１４の断面図で、放熱部材１０８がフィルター１０６に当接していることを示している。放熱部材１０８は、薄い細長い素材から形成され、底部１１０に関して２つの角から９０度に曲げられたようなＵ字型を形成する。一対の脚部１１２の長さによって、底部１１０はフィルター１０６に当接したり、間隙が形成されたりしても良い。底部１１０とフィルター１０６の間に間隙を有することは負圧供給管４０を通って提供される負圧がこて先３８に伝わるのに、付加的な通路を提供する。換言すると、底部１１０とフィルター１０６の間に間隙を持たせるとはんだのはんだ貯溜スペース５６への流入抵抗を減らす事ができる。しかしながら、たとえ間隙がなくとも、底部１１０に当接しているフィルター１０６に沿った外部がこて先３８を通してはんだ貯溜スペース５６へはんだを負圧吸引するのに十分な通路を与える。
【００３９】
図８はフィルター１０６がハウジング１００の第二端１０４に嵌め込まれ、そして放熱部材１０８の底部１１０がフィルター１０６に隣接して挿入された状態の貯溜カートリッジ１４の前面図を示す。放熱部材１０８の底部１１０は、ハウジング１００の内径Ｈｄと等しいか若しくはそれよりも若干短い対角線Ｂｄを有する。それにより、放熱部材１０８はハウジング１００にぴったりと嵌まる。放熱部材１０８とハウジング１００がぴったりと嵌まることで、図７、図８に示されるようにハウジング１００の長軸方向に沿って通路５８が形成される。通路５８は出口４８に導かれた負圧が貯溜カートリッジ１４の中の通路５８を通ってこて先３８に供給されることを確実にする。
【００４０】
図８は放熱部材１０８がハウジング１００の中にあらかじめ決められた方向に挿入されるよう、ハウジング１００の内面に切込み１１４が形成されることを示している。さらに、図６で示すように、ハウジング１００の第二端１０４は第二シール部材５５から突出するキー１１８(図１７参照)を受けるようになっている切込み１１６を有する。キー１１８と切込み１１６の組み合わせにより貯溜カートリッジ１４が凹部２０に対してあらかじめ決められた位置、方向に挿入される。従って、ハウジング１００の内面にある切込み１１４とハウジング１００上の切込み１１６の組み合わせは、貯溜カートリッジ１４が凹部２０に取り付けられたとき、一対の脚部１１２があらかじめ決められた方向に保持されることを確実にする。そうすることでパイプ２８を通過した溶融はんだが大抵どちらかの脚部１１２に落ちる。なお、切込み１１６やキー１１８は必ずしも設けなくても良い。
【００４１】
図９ないし図１３はパイプ２８を通過した溶融はんだを受ける貯溜カートリッジ１４の中に選択的に用いられる放熱部材１０８の様々な種類を例示する。図９は放熱部材１０８がＶ字型の形状の底部１１０を有することを例示する。図１０はＵ字型の底部１１０を示し、図１１はＷ字型の底部１１０を例示する。放熱部材１０８は図７及び図９ないし図１１に例示されるような種々の形状を有するよう、金属片を底部に沿って曲げて形成される。図９ないし図１０に示すように底部１１０がＶ、Ｕ、Ｗの形を持つことにより、フィルター１０６のフィルター面のかなりの部分が露出され、ハウジング１００の第二端１０４に導かれる負圧はハウジング１００の第一端１０２へ伝えられる。言い換えると底部１１０とフィルター１０６の接触が小さいと、フィルター１０６を通る吸引抵抗が少なくなる。
【００４２】
図１２は放熱部材１０８の底部１１０とフィルター１０６の間に間隙１２１が形成されるものを示している。間隙１２１はパイプ２８からの蒸気がフィルター１０６を通過し、そこで濾過されたきれいな煙または蒸気が貯溜カートリッジ１４の第二端１０４を通過するための広い通路を提供する。
【００４３】
図１３は溶融はんだが放熱部材１０８に着床する時、溶融はんだからの熱が放熱部材１０８によってすばやく消散させられるように、サイン波のように曲げられている放熱部材１０８を示し、放熱部材１０８の曲線は溶融はんだがフィルター１０６に接触するのを大幅に防ぐ。
【００４４】
図１４ないし図１６はハウジング１００の第二端１０４を塞ぐ第二シール部材５５の種々の断面図を示している。図１４は、閉塞側端部１２０が第二シール部材５５の外側の端に沿って、円錐面１２２を有することを示している。それにより、ハウジング１００の第二端１０４の外周を十分にシールする。円錐面１２２の角度によって、閉塞側端部１２０をハウジング１００内に嵌めることのできる深さが変化する。抵抗部材５０が第二シール部材５５をハウジング１００の第二端１０４に押し付けると、閉塞側端部１２０はフィルター１０６に係合し、それにより、フィルター１０６は放熱部材１０８の底部１１０と係合するか当接する、または押し付ける。しかしながら、上述のように、放熱部材１０８の一対の脚部１１２は底部１１０とフィルター１０６の間に間隙が形成されるようにより短くしても良い。
【００４５】
図１５は第二シール部材５５の閉塞側端部１２０がその外周に沿って段部１２４と円錐面１２６とを有するものを示している。抵抗部材５０が第二シール部材５５に押し込められると、円錐面１２６が第二シール部材５５をハウジング１００の長手軸方向に整合させるように、ハウジング１００の第二端１０４の中に円錐面１２６が挿入さる。それにより、第二端１０４は両者の間にシールを形成するように、シール部材５５の段部１２４と正しく係合される。
【００４６】
図１６は段部１２４を有する第二シール部材５４の閉塞側端部１２０を例示する。第二シール部材５５がハウジング１００の第二端１０４に係合すると、段部１２４と閉塞側端部１２０の一部分は、第二シール部材５５とハウジング１００の第二端１０４とをシールするため、第二端１０４の内壁と係合する。
【００４７】
図１７は閉塞側端部１２０より突き出るキー１１８を有する第二シール部材５５を示す。ハウジング１００の第二端１０４は、第二シール部材５５がハウジング１００に対して軸まわり方向に正しく位置決めされるようにキー１１８を受けるようになっている切込み１１６を有する。第二シール部材５５がハウジング１００の第二端１０４に取り付けられれば、貯溜カートリッジ１４が凹部２０の中に適切に配置されるのを確実にするのに提供されるキー１１８と切込み１１６の組み合わせが形成される。なお、切込み１１６やキー１１８は必ずしも設けなくても良い。
【００４８】
図１４ないし図１６に示される様々な形態は第一シール部材５２にも適応されうる。そうすることで、それぞれの閉塞側端部が対称又は非対称になるように第一シール部材５２に設けられてもよい。さらに、キー１１８と切込み１１６の組み合わせはそれぞれ第一シール部材５２とハウジング１００の第一端１０２に設けられてもよい。
【００４９】
図１８（ａ）と１８（ｂ）は第二ハンドル部１８が、その中に出入りするようになっているピン１２８を備えても良いことを示している。図１８（ａ）はピン１２８が格納された位置を、図１８（ｂ）はピン１２８が突出した位置にあることを示している。第二ハンドル部１８にはピン１２８に取り付けられたボタン１３０が提供される。ボタン１３０が図１８（ａ）に示される格納された位置から図１８（ｂ）に示される突出した位置に動かされたとき、ピン１２８は第二ハンドル部１８より突出する。ピン１２８の直径はこて先３８の通路の直径と比べてほぼ同等もしくは若干小さい。そうする事によりピン１２８が突出した位置にあるとき、ピン１２８は、吸引通路３６の中で固化してしまったかもしれないはんだを取り除くため、こて先３８の吸引通路３６の中に挿入される。つまり、ピン１２８は吸引通路３６を塞いでいる可能性のある不要なはんだを取り除くために吸引通路３６を掃除することに使われる。
【００５０】
図１９は加熱カートリッジ１６が熱いときに第一ハンドル部１２から取り外すため、加熱カートリッジ１６と係合するようになっている加熱カートリッジリムーバー１３２を示す。加熱カートリッジリムーバー１３２は保持壁面１３３とフック１３５を有し、その間にスペースがある。保持壁面１３３とフック１３５は、その間のスペースが移行部分１９の第一板８０を受け入れるように、移行部分１９の下側と係合するように形成されている。第一板８０が支持壁面１３３とフック１３５の間にあると、使用者はハンドル部１２から加熱カートリッジ１６を抜き差しするため加熱カートリッジリムーバー１３２の持ち手部分１３４を持つことができる。こうすることで、使用者は加熱カートリッジ１６がまだ熱い間に第一ハンドル部１２から加熱カートリッジ１６を外すために、加熱カートリッジリムーバー１３２を使用することができる。加熱カートリッジリムーバー１３２を使用しないときは、失わないように第二ハンドル部１８または第一ハンドル部１２に着脱可能に取り付けられる。
【００５１】
図２０ははんだ除去器具１０に対して電力と負圧を提供するための制御構成１３６を示す。制御構成１３６は信号伝達可能に連結されている電源１３８を含み、制御ボックス１４０ははんだ除去器具１０に付して電力と負圧を供給する。電源１３８ははんだごて等のはんだ取扱い器具に電力を供給するのに用いられる既存の電源のいずれを用いても良い。はんだ除去作業のために、制御ボックス１４０は以下の電源１３８に信号伝達可能に連結され、制御ボックス１４０ははんだ除去器具１０に提供される電力をコントロールする。例えば、電源１３８は白光（株）製のＨａｋｋｏＦＰ１０１，ＦＭ２０２でも、オン/オフ制御あるいはＰＩＤ制御のような公知の制御システムにより制御されてもよいし、あるいは特許文献３に記されているような電源（引用することによって当明細書に含まれる）でも良い。
【００５２】
制御ボックス１４０は以下のような方法ではんだ除去器具１０への電力、負圧の供給を制御する。一般に、ヒーター６０と温度センサーはこて先の近くに配置されていて、その結果、温度センサーは吸引通路３６の全長に沿った温度を正確に反映していない。特に、パイプ２８はこて先３８よりさらに遠いところにヒーター６０が位置している場合がある。その結果、パイプ２８近くの温度がこて先３８の温度近くに上昇するのにいくらかの時間の遅延が生じうる。従って、こて先３８が基板上のはんだを融かすのに十分に熱くなっているにも関わらず、吸引通路３６に沿った温度がその吸引通路３６の全長に沿ってこて先３８からの溶融はんだを融けた状態に保つのに十分なほど熱くなっていない可能性がある。そのため、はんだは吸引通路３６内で固化し、パイプ２８の他端まで通過しない可能性がある。
【００５３】
図２１ははんだが吸引通路３６内で固化するのを防ぐように制御ボックス１４０ではんだ除去器具１０を操作する過程を示すフローチャートである。ステップ１４２では、制御ボックス１４０が、はんだ除去器具１０がオンになっているかどうかをモニターする。はんだ除去器具１０がステップ１４２でオンになっている場合、制御ボックス１４０は、溶融はんだがこて先３８を通って、パイプ２８に向かって吸引通路３６を通ることができるように液状の状態を維持し得るように、吸引通路３６内の温度が上昇するまではんだ除去器具１０の吸引動作を遅らせる。ステップ１４６では遅延の後、制御ボックス１４０は第一トリガー４３または第二トリガー４６が動作されたとき、こて先３８に負圧を提供することによってはんだ除去器具１０の吸引動作を許可する。これは例えば吸引通路３６の大部分が所定の温度になるまでヒーター６０に電力を供給するが、吸引通路３６に沿った温度が所定の温度に達するまではこて先へ負圧を供給しないことにより行われる。ステップ１４６の遅延は約１５から約３０秒の間であってよい。
【００５４】
はんだ除去器具１０が吸引動作可能状態になると、ステップ１４８で制御ボックス１４０ははんだ除去器具１０がオフになったかどうかをモニターする。はんだ除去器具１０がオフになっている場合、ステップ１５０において制御ボックス１４０は電気と負圧の供給停止を遅らせ、吸引通路３６内にはんだが残留して次の動作を阻害することのないように、吸引通路３６内を実質的に空にする。
【００５５】
ステップ１５２においては、ステップ１５０での遅延の後、はんだ除去器具１０の作動が停止される。はんだ除去器具１０の作動が停止させられるまでの遅延は約１５秒から約３０秒の間でよい。ステップ１５４では、はんだ除去器具１０がオフになっていない場合、制御ボックス１４０がこて先３８の温度をモニターし、設定温度を維持するのに十分な電力をヒーター６０に供給する。はんだ除去器具１０がオフとされた場合、ステップ１５０に進む。
【００５６】
以上、本発明に係る実施形態について説明したが、多くのさらなる実施形態や実行手段が本発明の範囲の中で可能であることは当業者にとって明らかである。ゆえに本発明は添付のクレームとその均等物以外には制限されない。
【００５７】
また、以下に示すような特徴を有する様々な実施形態をとっても良い。
【００５８】
（１）こて先を通してはんだを融かし、溶融はんだを回収するためのこて先を持ったはんだ除去器で、その除去器は以下からなる：
溶融はんだを保持するようになっている貯溜カートリッジ；
負圧供給源に連結され、溶融はんだを回収するためにこて先に対して負圧を伝えるための通路を有する第一ハンドル部であり、第一ハンドル部はこて先を通して回収される溶融はんだを保持するため貯溜カートリッジを取り外し可能に受けるようになっている凹部を有する第一ハンドル部；
接線方向に着脱できるように第一ハンドル部が取り付けられるようになっている第二ハンドル部。
【００５９】
（２）上記（１）によるはんだ除去器において、第一ハンドル部は第一と第二の開口をもった前端を有し、さらに電気カートリッジと互い違いの関係にある先端部分を有するヒーター加熱カートリッジを含み、その第一及び第二穴がそれぞれ先端部分と電気カートリッジの少なくとも一部分を受けるようになっている。
【００６０】
（３）上記（２）によるはんだ除去器において、第一端前端部が第一ハンドル部に加熱ヒーターカートリッジを整合させるため、加熱ヒーターカートリッジから突出している突起を受けるようになっている少なくともひとつの切り欠きを有している。
【００６１】
（４）上記（１）によるはんだ除去器において、第一ハンドル部が第一位置と第二位置の間を動くようになっているバックホルダーを有し、第一位置において凹部から貯溜カートリッジを挿入したり取り除いたりするのを可能にするため凹部の長手方向の長さが貯溜カートリッジの長さより長く、第二位置において凹部中に貯溜カートリッジを保持するため貯溜カートリッジの長さと少なくとも等しくなっている。
【００６２】
（５）上記（４）によるはんだ除去器において、貯溜カートリッジが第一端及び第二端を有し、さらに第二位置にある凹部の中には貯溜カートリッジの第一及び第二端を十分にシールするようになっている第一及び第二のシール部材を有する。
【００６３】
（６）上記（５）によるはんだ除去器において、第一シール部材と第二シール部材の外側面は円錐になっている。
【００６４】
（７）上記（５）によるはんだ除去器において、バックホルダー第二シール部材が二シール部材バックホルダーに分離可能に連結され、貯溜カートリッジの第二端はバックホルダーが第二位置にあるとき第二シール部材に形成されたキーを受けるようになっている切込みを有している。
【００６５】
（８）上記（４）によるはんだ除去器において、第一のハンドル部に対して貯溜カートリッジを方向付けするためにバックホルダーが第一位置から第二位置に動かされたとき、貯溜カートリッジがキーを受け入れるようになっている切込みを有している。
【００６６】
（９）上記（２）によるはんだ除去器において、こて先を加熱するのに電気を熱に変換するため、先端部分に電力を供給するために第一ハンドル部に取り付けられた電気コードをさらに有する。
【００６７】
（１０）上記（１）によるはんだ除去器において、吸引通路を有する加熱カートリッジを有し、その吸引通路を通って溶融はんだが回収され、その吸引通路の長手方向軸は加熱カートリッジの長手方向軸と整合している。
【００６８】
（１１）上記（９）によるはんだ除去器において、第一ハンドル部が第一トリガーを、第二ハンドル部が第二トリガーを有し、第二ハンドル部が第一ハンドル部に取り外し可能に連結されたとき、第二トリガーの操作により第一トリガーが動作され、こて先に負圧を提供するように、第二トリガーが第一ハンドル部と機械的に連動している。
【００６９】
（１２）こて先によってはんだを融かし、こて先を通して溶融はんだを取り除くシステムで、こて先の近くを熱し、はんだを融かすための電力を熱に変換するために、電源コードに連結され、こて先への負圧を制御する第一ハンドル部と、第一ハンドル部に接線方向に取り付けるようになっている第二ハンドル部とを有し、第二ハンドル部が第一ハンドル部に取り付けられたとき、第二ハンドル部は第一トリガーに機械的に連動する第二トリガーを有し、第二トリガーの動作がこて先を通って溶融はんだを取り除くのにこて先への負圧をオン／オフするよう、第一トリガーを動作させるもの。
【００７０】
（１３）上記（１２）によるシステムにおいて、さらにこて先を通って回収される溶融はんだを保持する事が可能な貯溜カートリッジをさらに有し、溶融はんだを回収するのにこて先に負圧を提供するため第一ハンドル部は負圧供給源を取り付けて第一ハンドル部内に通路を提供するようになっており、そして第一ハンドル部がこて先を通って回収された溶融はんだを保持するための貯溜カートリッジを取り外し可能に受けるようになっている凹部を有している。
【００７１】
（１４）上記（１３）によるシステムにおいて、第一のハンドル部は第一の開口部を持つ前端を有し、さらにそこを通じて溶融はんだを回収するようになっている吸引通路を持った先端部分を有している。
【００７２】
（１５）上記（１２）によるシステムにおいて、第一ハンドル部が第一と第二の開口部をもつ前端部を有し、さらに電気カートリッジと互い違いの関係になっている先端部分を有するヒーター加熱カートリッジを含み、第一及び第二の開口部がそれぞれ先端部分と電気カートリッジの少なくとも一部分を受けるようになっている。
【００７３】
（１６）上記（１５）によるシステムにおいてさらに、加熱ヒーターカートリッジを第一ハンドル部から取り出すために加熱ヒーターカートリッジと関連付けられている加熱カートリッジリムーバーを有する。
【００７４】
（１７）上記（１６）によるシステムにおいて、加熱カートリッジリムーバーが加熱ヒーターカートリッジの下側に沿うように関連付けられている。
【００７５】
（１８）上記（１３）によるシステムにおいて、第一ハンドル部が第一位置と第二位置の間を動くようになっているバックホルダーを有し、第一位置において凹部から貯溜カートリッジを挿入したり取り除いたりするのを可能にするため凹部の長手方向の長さが貯溜カートリッジの長さより長く、第二位置において凹部中に貯溜カートリッジを保持するため貯溜カートリッジの長さと少なくとも等しくなっている。
【００７６】
（１９）上記（１３）によるシステムにおいて、貯溜カートリッジが第一端及び第二端を有し、さらに第二位置にある凹部の中には貯溜カートリッジの第一及び第二端を十分にシールするようになっている第一及び第二のシール部材を有する。
【００７７】
（２０）上記（１９）によるシステムにおいて、バックホルダー第二シール部材が二シール部材バックホルダーに分離可能に連結され、貯溜カートリッジの第二端はバックホルダーが第二位置にあるとき第二シール部材に形成されたキーを受けるようになっている切込みを有している。
【００７８】
（２１）上記（１３）によるシステムにおいて、第一のハンドル部に対して貯溜カートリッジを方向付けするためにバックホルダーが第一位置から第二位置に動かされたとき、貯溜カートリッジがキーを受け入れるようになっている切込みを有している。
【００７９】
（２２）上記（１５）によるシステムにおいて、こて先を加熱するのに電気を熱に変換するため、先端部分に電力を供給するために第一ハンドル部に取り付けられた電気コードをさらに有する。
【００８０】
（２３）上記（１２）によるシステムにおいて、吸引通路を有する加熱カートリッジを有し、その吸引通路を通って溶融はんだが回収され、その吸引通路の長手方向軸は加熱カートリッジの長手方向軸と整合している。
【００８１】
（２４）上記（２２）によるシステムにおいて、第一ハンドル部が第一トリガーを、第二ハンドル部が第二トリガーを有し、第二ハンドル部が第一ハンドル部に取り外し可能に連結されたとき、第二トリガーの操作により第一トリガーが動作され、こて先に負圧を提供するように、第二トリガーが第一ハンドル部と機械的に連動している。
【００８２】
（２５）上記（２３）によるシステムにおいて、第二ハンドル部が第一位置と第二位置の間を動くピンを有し、第一位置においてピンが第二ハンドル部から突出し、第二位置においてピンは第二ハンドル部内に引っ込み、ピンは掃除のために吸引通路内に挿入されるようになっている。
【００８３】
（２６）上記（２３）によるシステムにおいて、加熱カートリッジリムーバーを有し、第一ハンドル部からヒーターカートリッジを取り出すため加熱カートリッジに係合するようになっている。
【００８４】
（２７）上記（１２）によるシステムにおいて、こて先への負圧の提供を遅らせるはんだ除去コントロールボックスを有する。
【００８５】
（２８）上記（１２）によるシステムにおいて、さらに互い違いの関係に電気カートリッジと先端部分をつなげるようになっている移行部分を有し、その移行部分は片側から突出するスリーブを有し、同じ方向に突出する電気カートリッジと先端部分のパイプの端を受けるのに適し、パイプの端とスリーブは第一ハンドル部のそれぞれ第一および第二開口に挿入されるよう適合し、第一ハンドル部に対してヒーターカートリッジを方向付けするためパイプの端が第一穴と合わさる前にスリーブが第二穴と合わさる。
【００８６】
（２９）上記（２８）によるシステムにおいて、加熱カートリッジが第一ハンドル部から外れることを防ぐためにスリーブが第二開口内のヒンジと係合する凹部を有する。
【００８７】
（３０）上記（２９）によるシステムにおいて、ヒンジがボタンに連結されており、ボタンが操作されたとき、ヒンジに対して第一ハンドル部から加熱カートリッジをはずすようにスリーブを解除させるようにヒンジを動かす。
【００８８】
（３１）溶融はんだを受けられるシステムにおいて、以下のからなるもの：
第一端と第二端を持つハウジングであってハウジングの第一端は溶融はんだを受けるようになっている；
ハウジングの第二端の中に取り外し可能に係合するようになっているフィルター；
一対の足の間に基部を有する放熱部材で、そしてその放熱部材はハウジングにはめ込まれるフィルターに隣接してハウジングの中に収まるようになっている。
【００８９】
（３２）上記（３１）によるシステムにおいて、ハウジングの第二端が直径方向にそってハウジングを方向付けするために切込みを有する。
【００９０】
（３３）上記（３１）によるシステムにおいて、放熱部材がＵ字型を有する。
【００９１】
（３４）上記（３１）によるシステムにおいて、底部がフィルターと平面上にある。
【００９２】
（３５）上記（３１）によるシステムにおいて、底部とフィルターの間が間隙である。
【００９３】
（３６）上記（３１）によるシステムにおいて、底部がＶ字型を有する。
【００９４】
（３７）上記（３１）によるシステムにおいて、底部がＷ字型を有する。
【００９５】
（３８）上記（３１）によるシステムにおいて、放熱部材が金属より形成される。
【００９６】
（３９）上記（３８）によるシステムにおいて、金属がアルミである。
【００９７】
（４０）上記（３１）によるシステムにおいて、底部の対角線がハウジングの内径とほぼ同じである。
【００９８】
（４１）上記（３１）によるシステムにおいて、一対の足がほぼ平面である。
【００９９】
（４２）上記（３１）によるシステムにおいて、ハウジング内のはんだの量をハウジングの外から確認できるよう、ハウジングが透明な素材で形成されている。
【０１００】
（４３）上記（３１）によるシステムにおいて、ハウジングが紙製である。
【０１０１】
（４４）溶融はんだを保持するシステムにおいて、以下のシステムからなるもの：
第一端と第二端を持つハウジングであってハウジングの第一端は溶融はんだを受けるようになっている；
ハウジングの第二端の中に取り外し可能に係合するようになっているフィルター；
ハウジングの中に曲線の形状を有する放熱部材。
【０１０２】
（４５）上記（４４）によるシステムにおいて、放熱部材がアルミから形成される。
【０１０３】
（４６）上記（４４）によるシステムにおいて、ハウジングが紙製である。
【０１０４】
（４７）はんだ除去器用の交換可能な貯溜カートリッジにおいて、以下からなる貯溜カートリッジ：
第一端と第二端を持つハウジングであってハウジングの第一端は溶融はんだを受けるようになっている；
ハウジングの第二端の中に取り外し可能に係合するようになっているフィルター；
一対の足の間に基部を有する放熱部材で、そしてその放熱部材はハウジングにはめ込まれるフィルターに隣接してハウジングの中に収まるようになっている。
【０１０５】
（４８）上記（４７）による貯溜カートリッジにおいて、ハウジングの第二端が直径方向にそってハウジングを方向付けするために切込みを有する。
【０１０６】
（４９）上記（４７）による貯溜カートリッジにおいて、放熱部材がＵ字型を有する。
【０１０７】
（５０）上記（４７）による貯溜カートリッジにおいて、底部がフィルターと当接する。
【０１０８】
（５１）上記（４７）による貯溜カートリッジにおいて、底部とフィルターの間に間隙がある。
【０１０９】
（５２）上記（４７）による貯溜カートリッジにおいて、底部がＶ字型を有する。
【０１１０】
（５３）上記（４７）による貯溜カートリッジにおいて、底部がＷ字型を有する。
【０１１１】
（５４）上記（４７）による貯溜カートリッジにおいて、放熱部材が金属より形成される。
【０１１２】
（５５）上記（５４）による貯溜カートリッジにおいて、金属がアルミである。
【０１１３】
（５６）上記（４７）による貯溜カートリッジにおいて、底部の対角線がハウジングの内径とほぼ同じである。
【０１１４】
（５７）上記（４７）による貯溜カートリッジにおいて、ハウジング内のはんだの量をハウジングの外から確認できるよう、ハウジングが透明な素材で形成されている。
【０１１５】
（５８）上記（４７）による貯溜カートリッジにおいて、ハウジングが紙製である。
【０１１６】
（５９）こて先に隣接するヒーターに電気を提供するための加熱カートリッジであり、以下からなるもの：
こて先とパイプの端の間にチャンネルを有する先端部分；
電力を受けるための接点を有する電気カートリッジ；
電気カートリッジを先端部分に対して互い違いに連結する移行部分であり、接触端子を通して供給される電力がこて先近くを加熱するために電気を変換するヒーターに提供される。
【０１１７】
（６０）上記（５９）による加熱カートリッジにおいて、ヒーターの熱をパイプの端まで伝えるため、パイプの端の少なくとも一部分が熱伝導素材で囲われている。
【０１１８】
（６１）上記（５９）による加熱ヒーターカートリッジにおいて、移行部分の間に間隙を持つ第一板と第二板を含み、第二第一板が第一第二板よりヒーターに近く、間隙が第一第二板をヒーターより絶縁する。
【０１１９】
（６２）上記（５９）による加熱カートリッジにおいて、こて先とパイプの端の間は吸引通路がほぼまっすぐである。
【０１２０】
（６３）上記（５９）による加熱ヒーターカートリッジにおいて、電気カートリッジが先端部分と移行部分から着脱可能のゆえに交換可能である。
【０１２１】
（６４）上記（５９）による加熱カートリッジにおいて、こて先が交換可能である。
【０１２２】
（６５）上記（５９）による加熱ヒーターカートリッジにおいて、こて先内の吸引通路の直径が残りの吸引通路の直径よりも小さい。
【０１２３】
（６６）上記（５９）による加熱カートリッジにおいて、移行部分が移行部分から同じ方向に突出する電気カートリッジと先端部分のパイプの端を受けるのに適した片側から突出するスリーブを有し、スリーブはパイプの端よりも長く突出し、第一ハンドル部に対してヒーターカートリッジを方向付けするために第一ハンドル部の穴を通して中に差し込むようになっている。
【０１２４】
（６７）上記（６６）による加熱カートリッジにおいて、スリーブが第一ハンドル部内のヒンジと合わさるようになっている凹部を有するもの。
【０１２５】
（６８）貯溜カートリッジの中に溶融はんだを動かす方法で、以下の工程からなるもの：
吸引通路内を通って溶融はんだを吸い取ること；
チャンネル全体でほぼ一定の温度を維持すること；
溶融はんだを貯溜カートリッジの中に収納すること。
【０１２６】
（６９）上記（６８）による方法で、貯溜カートリッジが交換可能なもの。
【０１２７】
（７０）上記（６８）による方法で、吸引通路全体の温度をほぼ同じに維持する工程が達成されるまで吸い取りの工程を遅らせるもの。
【０１２８】
（７１）上記（６８）による方法で、吸い取りの工程をオフにするのを吸引通路内にはんだがなくなるまで維持し、遅らせるもの。
【０１２９】
（７２）こて先からパイプの端までチャンネルを通って溶融はんだを取り除くためのはんだ除去器を動作させる方法で以下を含むもの：
チャンネルを熱するためのヒーターに電気を供給する；
はんだがこて先からパイプの端まで通ることのできるよう吸引通路の温度がはんだの溶けた状態を維持できるようにヒーターが吸引通路を熱するまで、溶融はんだを取り除くためチャンネルを通る初めの負圧を提供するのを遅らせる。
【０１３０】
（７３）上記（７２）による方法で、さらに吸引通路内のはんだがほぼなくなるまで吸引通路内に負圧と、ヒーターへの電気をオフするのを遅らせる。
【０１３１】
（７４）上記（７２）による方法で、初めの負圧をチャンネルに提供するのを遅らせる段階が約１５秒から約３０秒であること。
【０１３２】
（７５）上記（７２）による方法で、ヒーターへの電気とチャンネルを通る負圧をオフするのを遅らせる段階が、約１５秒から約３０秒であること。
（７６）上記（７２）による方法でさらに以下を含むもの：
こて先の温度をモニターする；
こて先の温度をあらかじめ決められた温度に近い温度に維持するためヒーターに電気を供給する。
（７７）以下のものからなるはんだ除去器：
はんだ除去チャンネル（吸引通路）を有するはんだ除去こて先；
前記はんだ除去こて先を支持するハウジングで負圧供給源に伝達できるもの；
前記ハウジングの外面がはんだ収納体カートリッジ用の凹部を規定する凹部を有するもの；
前記凹部が、はんだ収集体カートリッジが凹部に位置されたとき前記カートリッジが前記カートリッジの中に前記はんだ除去チャンネルを通じてはんだを吸引するために前記負圧供給源と連通するようになっているもの；
前記凹部が前記ハウジングをあけることなく、前記凹部よりカートリッジを直接差し込み、取り外すようになっているもの。
【０１３３】
（７８）上記（７７）のはんだ除去器において、前記凹部が外気に対して開いているもの。
（７９）上記（７７）のはんだ除去器において、前記ハウジング内に通路をさらに有し、前記通路の前端が貯溜カートリッジが前記凹部にあるときにそのカートリッジの後端と連通して、そして通路の後端は前記負圧供給源と通じ、はんだ除去チャンネルの長手方向の前記はんだ除去チャンネル、前記カートリッジと前記通路はセンターラインで整合しているもの。
【０１３４】
（８０）上記（７７）のはんだ除去器において、前記凹部がハウジングの前方上部に位置するもの。
【０１３５】
（８１）以下のものからなるはんだ除去器：
はんだ除去チャンネルを有するはんだ除去こて先；
前記はんだ除去こて先を支持するとともに、除去チャンネルを通じて溶融はんだを回収するべく負圧供給源に連結されるようになっている第一ハンドル部；
第一ハンドル部上にあり、第一ハンドル部を保持しているはんだ除去器の使用者に対して負圧とはんだ除去チャンネルとの連通を使用者が制御させるようになっている第一の作動器；
第二ハンドル部；
前記第二ハンドル部の作動器；
前記第二ハンドル部が使用者により第一ハンドル部に連結位置にて連結され、そこから解除することができるようになっている；
前記第二作動器は第二ハンドル部が連結位置にある時に、第二ハンドル部を保持する使用者がはんだ除去チャンネルの負圧の連通を制御させるようになっている。
【０１３６】
（８２）上記（８１）のはんだ除去器において、前記第一の作動器は使用者により作動可能な第一トリガーであり、前記第二の作動器は使用者により作動可能な第二トリガーである。
【０１３７】
（８３）上記（８１）のはんだ除去器において、前記第二ハンドル部が連結位置にあるとき前記第二作動器を前記第一の作動器と作用するよう連結させる手段をさらに含む。
【０１３８】
（８４）上記（８１）のはんだ除去器において、前記第二ハンドル部がピストル型グリップを形成し、前記第二作動器が前記ピストル型グリップハンドル部のトリガーを形成する。
【０１３９】
（８５）上記（８１）のはんだ除去器において、前記連結位置において前記第二ハンドル部を前記第一ハンドル部の底面に固定するための取り外し可能なロック手段をさらに含む。
【０１４０】
（８６）以下のものから成るはんだ除去器加熱ヒーターカートリッジ組立体：
はんだ除去ツールこて先；
前記はんだ除去ツールこて先のなかのはんだを加熱するように位置されている加熱カートリッジ；
負圧供給源に接続可能な長手方向軸のチャンネルを持ったはんだ吸引通路を規定する前記ツールこて先と前記加熱ヒーターカートリッジ；
長手方向のカートリッジを持っており、電力源に接続可能な細長い電気カートリッジ；
前記チャンネルの長手方向軸と軸が離隔していて、かつ平行な前記カートリッジの長手方向軸；
前記電気カートリッジを前記加熱カートリッジに電気的に接続している移行部分。
【０１４１】
（８７）上記（８６）のカートリッジ組立体において、移行部分が間隙と間隙の中の導電配線を特徴とする間隙手段を含むもの。
【０１４２】
（８８）上記（８７）のカートリッジ組立体において、前記間隙手段が前記カートリッジ軸と前記チャンネル軸にたいして直角に配置された一対の板を含むもの。
【０１４３】
（８９）上記（８６）のカートリッジ組立体において、前記加熱ヒーターカートリッジが前記除去器こて先の後方部分を囲っているもの。
【０１４４】
（９０）上記（８６）のカートリッジ組立体に、さらに前記はんだ吸取りチャンネルから後方に延びるパイプを有するもの。
【０１４５】
（９１）上記（８６）のカートリッジ組立体で、さらに前記電気カートリッジの先端部分を囲っているスリーブを有するもの。
【０１４６】
（９２）第一ハンドル部及び第二ハンドル部から成り、こて先を介してはんだを融かすシステムにおいて、第一ハンドル部は第一トリガーと長手方向軸を有し、第一トリガーの動作がはんだを融かすためにこて先に電気を提供し、第二ハンドル部は第二トリガーとともにグリップエリアを有し、第二ハンドル部のグリップエリアが第一ハンドル部の長手方向に対して接線に沿うように第一ハンドル部は第二ハンドル部がつながるようになっていて、第二トリガーの動作がこて先に電気を供給するため、第一トリガーを動作させるもの。
【０１４７】
（９３）上記（９２）によるシステムにおいて、第一ハンドル部はこて先内の吸引通路を通して溶融はんだを除去するこて先に負圧を提供するようになっているもの。
【０１４８】
（９４）上記（９２）によるシステムにおいて、第一ハンドル部はこて先に電気を通すために第二ハンドル部とは独立して操作可能であるもの。
【図面の簡単な説明】
【０１４９】
【図１】本発明の一実施形態に係るはんだ除去器具の分解斜視図である。
【図２】図１のはんだ除去器具の断面図である。
【図３】図１のはんだ除去器具の加熱カートリッジの後ろ側の拡大図である。
【図４】図１のはんだ除去器具の第一ハンドル部の前端の拡大図である。
【図５】（ａ）は加熱カートリッジ、貯溜カートリッジ、第一ハンドル部、そして第二ハンドル部を取り外し可能に合体させたはんだ除去器具の斜視図であり、（ｂ）ははんだ除去器具の内部固定構造を示す図である。
【図６】図１のはんだ除去器具の貯溜カートリッジの展開図である。
【図７】貯溜カートリッジの断面図である。
【図８】貯溜カートリッジの前面図である。
【図９】放熱部材の底がＶ字型の貯溜カートリッジの断面図である。
【図１０】放熱部材の底がＵ字型の貯溜カートリッジの断面図である。
【図１１】放熱部材の底がＷ字型の貯溜カートリッジの断面図である。
【図１２】放熱部材の底がＵ字型で、底とフィルターの間に間隙がある、貯溜カートリッジの断面図である。
【図１３】放熱部材が曲線形状の貯溜カートリッジの断面図である。
【図１４】第二シール部材を伴う貯溜カートリッジの断面図である。
【図１５】第二シール部材を伴う貯溜カートリッジの断面図である。
【図１６】第二シール部材を伴う貯溜カートリッジの断面図である。
【図１７】貯溜カートリッジと第二シール部材がそれぞれ切込みとキーをもつ貯溜カートリッジの斜視図である。
【図１８】第二ハンドル部の断面図であり（ａ）はピンを縮めた状態、（ｂ）はピンを伸ばした状態を示す。
【図１９】加熱カートリッジリムーバーの斜視図である。
【図２０】はんだ除去器具、電源、そして制御ボックスの制御構成図である。
【図２１】はんだ除去器具を動かすためのフローチャートである。
【符号の説明】
【０１５０】
１０    はんだ除去器具
１２    第一ハンドル部（ハンドル部）
１４    貯溜カートリッジ
２０    凹部
２２    バックホルダー
３８    こて先
４０    負圧供給管（負圧供給源）
５２    第一シール部材
５５    第二シール部材
１００    ハウジング（収納ハウジング）
１０２    第一端
１０４    第二端
１０６    フィルター
１０８    放熱部材
１１０    底部
１１２    脚部
【図１】
0004686233.tif 000002
【図２】
0004686233.tif 000003
【図３】
0004686233.tif 000004
【図４】
0004686233.tif 000005
【図５】
0004686233.tif 000006
【図６】
0004686233.tif 000007
【図７】
0004686233.tif 000008
【図８】
0004686233.tif 000009
【図９】
0004686233.tif 000010
【図１０】
0004686233.tif 000011
【図１１】
0004686233.tif 000012
【図１２】
0004686233.tif 000013
【図１３】
0004686233.tif 000014
【図１４】
0004686233.tif 000015
【図１５】
0004686233.tif 000016
【図１６】
0004686233.tif 000017
【図１７】
0004686233.tif 000018
【図１８】
0004686233.tif 000019
【図１９】
0004686233.tif 000020
【図２０】
0004686233.tif 000021
【図２１】
0004686233.tif 000022